(57)【要約】      （修正有）【課題】サンプル内における温度分布の発生を抑制しつつ、サンプルの温調を高効率に行なうことができる、クロマトグラフ用温調装置を提供する。【解決手段】クロマトグラフ用サンプル温調装置１は、サンプル容器１０２を保持するサンプルホルダ１００を載置する載置台１４を有するサンプルラック４を備える。温調空間８を内部に有する筐体２は、空気吹出し口２４、ファン２２、及び吹出し口の上流で空気を冷却又は加熱するための温調素子２８、３０を備えた空気温調部６を備える。ファン２２より送り出される温調された空気を、載置台１４の下面と温調空間８の床面との間に形成された空気を流すための通気路２０と、サンプルラック４の上方で先端から基端に向かう、２方向に流すための構造１８、３２，３４が設けられている。液体クロマトグラフ用試料注入機構は、温調空間８内に設けられる。【選択図】図１
2020193808.tif 000002
【特許請求の範囲】
【請求項１】
先端及び基端を有するとともに、サンプル容器を保持するサンプルホルダを載置するための載置台を有するサンプルラックと、
前面及び背面を有するとともに、前記サンプルラックを収容して前記サンプルラックの前記載置台に載置されたサンプルホルダの温調を行なうための温調空間を内部に有し、前記サンプルラックを前記先端から前記温調空間へ挿入させるためのラック挿入口が前記前面に設けられている筐体と、
前記温調空間に収容された前記サンプルラックの前記先端と対向するように設けられ、前記サンプルラックに向かって空気を吹き出すための吹出し口、前記吹出し口から空気が吹き出されるように空気流を形成するためのファン、及び前記ファンによって形成される空気流の経路における前記吹出し口の上流で空気を冷却又は加熱するための温調素子を備えた空気温調部と、を備え、
前記サンプルラックは、前記サンプルラックが前記温調空間に収容されている状態で、前記載置台の下面と前記温調空間の床面との間に、前記サンプルラックの前記先端から前記基端へ向かって空気を流すための通気路が形成されるように構成され、
前記空気温調部及び前記サンプルラックの先端には、前記サンプルラックが前記温調空間に収容されている状態で、前記空気温調部の前記吹出し口から吹き出される空気のうちの一部を前記通気路へ流入させ、前記吹出し口から吹き出される空気のうちの残りの部分を前記サンプルラックの前記載置台よりも上方で前記サンプルラックの前記先端から前記基端へ向かう方向に流すための構造が設けられている、クロマトグラフ用サンプル温調装置。
【請求項２】
前記サンプルラックの先端に、前記吹出し口から吹き出される空気の一部を前記通気路へ導くための第１フードが設けられており、
前記空気温調部の前記吹出し口の上方には、前記吹出し口から吹き出された空気のうち前記通気路へ導かれなかった空気を前記サンプルラックの前記基端の方向へ導くための第２フードが設けられている、請求項１に記載のクロマトグラフ用サンプル温調装置。
【請求項３】
前記第１フードは前記サンプルラックから先端方向へ延び、前記サンプルラックが前記温調空間に収容されている状態で、前記第１フードの先端と前記吹出し口の縁との間に隙間を形成するように設けられており、
前記第２フードは、前記第１フードの先端と前記吹出し口の縁との間の隙間から流出した空気を前記サンプルラックの前記基端側へ導くように設けられている、請求項２に記載のクロマトグラフ用サンプル温調装置。
【請求項４】
前記サンプルラックの前記載置台の複数の箇所に、前記通気路に流入した空気を前記載置台よりも上方へ通過させるための開口が設けられている、請求項１から３のいずれか一項に記載のクロマトグラフ用サンプル温調装置。
【請求項５】
前記載置台における前記開口の面積割合は、前記サンプルラックの前記先端から前記基端へ向かうにつれて大きくなっている、請求項４に記載のクロマトグラフ用サンプル温調装置。
【請求項６】
前記載置台における前記開口の面積割合は、前記通気路を流れる空気の流れ方向に垂直な水平方向における中央よりも外側のほうが大きくなっている、請求項４又は５に記載のクロマトグラフ用サンプル温調装置。
【請求項７】
前記載置台に設けられている前記開口の総面積は、前記通気路への空気の流入面積と略同一である、請求項４から６のいずれか一項に記載のクロマトグラフ用サンプル温調装置。
【請求項８】
前記サンプルラックの前記載置台の下面に、前記通気路を流れる空気の一部を前記載置台の特定の位置に設けられている前記開口へ導くための突起を備えている、請求項４から７のいずれか一項に記載のクロマトグラフ用サンプル温調装置。
【請求項９】
前記サンプルラックは、前記載置台の下面に前記載置台を支持するためのスタンドを備えており、
前記突起は、前記サンプルラックの前記先端側からみて前記スタンドの背後に位置する前記開口へ空気を導くように設けられている、請求項８に記載のクロマトグラフ用サンプル温調装置。
【請求項１０】
前記サンプルラックの前記載置台には、前記載置台に載置される前記サンプルホルダの下面周縁部に相当する位置に、前記サンプルホルダの前記下面周縁部の内外において空気を流通させるための通気溝が設けられている、請求項１から９のいずれか一項に記載のクロマトグラフ用サンプル温調装置。
【請求項１１】
前記空気温調部のうち、少なくとも前記温調素子は前記吹出し口及び前記ファンとは別のユニットとして前記筐体から取り外すことができるように構成されている、請求項１から１０のいずれか一項に記載のクロマトグラフ用サンプル温調装置。
【発明の詳細な説明】
【技術分野】
【０００１】
本発明は、液体クロマトグラフなどの分析装置に用いられ、サンプルを冷却又は加熱しながら所定温度に温度調整するサンプル温調機能を備えたクロマトグラフ用サンプル温調装置に関するものである。
【背景技術】
【０００２】
液体クロマトグラフのオートサンプラには、分析対象のサンプルの変質等を防止するために、サンプル（又はサンプルを収容したサンプル容器）を冷却又は加熱して所定温度に調整する機能を備えたものがある。
【０００３】
サンプルの温調方式には、ペルチェ素子やヒータなどの温調素子が取り付けられた金属プレート上にサンプルを保持するサンプルホルダを配置してサンプルホルダを直接的に冷却又は加熱する直接温調方式（特許文献１参照。）、サンプルホルダを外気とは熱的に分離された空間（以下、温調空間という。）内に配置し、その温調空間内の空気をペルチェ素子などの温調素子によって冷却又は加熱する空気温調方式などがある。
【先行技術文献】
【特許文献】
【０００４】
【特許文献１】特開２０１６−１７６７４９号公報
【発明の概要】
【発明が解決しようとする課題】
【０００５】
直接温調方式は、サンプルホルダを直接的に冷却又は加熱するため、温調の応答速度が良好であるという利点はあるが、サンプルホルダを均一に温調することが難しいという問題もある。オートサンプラでは、サンプルホルダに保持されたサンプル容器に対して上方からニードルをアクセスさせる構成であるため、サンプルホルダの底面側からサンプルホルダを加熱又は冷却することになる。そのため、サンプル容器内のサンプルには、上下方向に温度分布が発生しやすい。
【０００６】
一方で、空気温調方式は、温調の応答速度が直接温調方式よりも劣る反面、サンプルホルダが配置されている温調空間内を全体的に冷却又は加熱することにより、直接温調方式に比べてサンプルを均一に温調することができる。しかし、温調空間内を全体的に温調しようとすると、温調空間の内部と外部で熱交換を行なう面積が広くなるため、多量の断熱材を使用して温調空間を外気と遮断する必要がある。また、本来的には温調の不要な温調空間内の構造物まで温調することになるため、温調対象の熱容量が大きくなり、サンプルの温調に要する時間が長くなったり、過度に高い温調能力をもった温調素子が必要になったりするなど、効率が悪いという問題がある。さらには、装置サイズの拡大化や装置コストの増大にも繋がる。
【０００７】
本発明は上記問題に鑑みてなされたものであり、サンプル内における温度分布の発生を抑制しつつ、サンプルの温調を高効率に行なうことができるようにすることを目的とするものである。
【課題を解決するための手段】
【０００８】
本発明に係るクロマトグラフ用サンプル温調装置は、先端及び基端を有するとともに、サンプル容器を保持するサンプルホルダを載置するための載置台を有するサンプルラックと、前面及び背面を有するとともに、前記サンプルラックを収容して前記サンプルラックの前記載置台に載置されたサンプルホルダの温調を行なうための温調空間を内部に有し、前記サンプルラックを前記先端から前記温調空間へ挿入させるためのラック挿入口が前記前面に設けられている筐体と、前記温調空間に収容された前記サンプルラックの前記先端と対向するように設けられ、前記サンプルラックに向かって空気を吹き出すための吹出し口、前記吹出し口から空気が吹き出されるように空気流を形成するためのファン、及び前記ファンによって形成される空気流の経路における前記吹出し口の上流で空気を冷却又は加熱するための温調素子を備えた空気温調部と、を備え、前記サンプルラックは、前記サンプルラックが前記温調空間に収容されている状態で、前記載置台の下面と前記温調空間の床面との間に、前記サンプルラックの前記先端から前記基端へ向かって空気を流すための通気路が形成されるように構成され、前記空気温調部及び前記サンプルラックの先端には、前記サンプルラックが前記温調空間に収容されている状態で、前記空気温調部の前記吹出し口から吹き出される空気のうちの一部を前記通気路へ流入させ、前記吹出し口から吹き出される空気のうちの残りの部分を前記サンプルラックの前記載置台よりも上方で前記サンプルラックの前記先端から前記基端へ向かう方向に流すための構造が設けられている。
【０００９】
すなわち、本発明に係るクロマトグラフ用サンプル温調装置では、空気温調部において冷却又は加熱されて吹出し口から吹き出される空気の一部がサンプルラックの載置台の下面と温調空間の床面との間の通気路を流れ、空気温調部の吹出し口から吹き出される空気の残りがサンプルラックの載置台よりも上方を流れる。
【発明の効果】
【００１０】
本発明に係るクロマトグラフ用サンプル温調装置では、空気温調部において冷却又は加熱されて吹出し口から吹き出される空気の一部がサンプルラックの載置台の下面と温調空間の床面との間の通気路を流れ、空気温調部の吹出し口から吹き出される空気の残りがサンプルラックの載置台よりも上方を流れる。そのため、サンプルラック上のサンプルの温調は、温調空間内全体を温調することによって行なわれるのではなく、サンプルラックの載置台の上下を流れる空気とサンプルラック上のサンプルとの間の熱交換によって行なわれる。そのため、温調空間内全体の温調を行なう場合に比べて温調対象の熱容量が小さくなり、サンプルの温調を高効率に行なうことができる。さらに、サンプルラックの載置台の上下の空間を空気温調部の吹出し口から吹き出された空気が流れるため、サンプル内における上下方向の温度分布の発生を抑制することができる。
【図面の簡単な説明】
【００１１】
【図１】クロマトグラフ用サンプル温調装置の一実施例を示す断面図である。
【図２】同実施例のサンプルラックを下面側から見た斜視図である。
【図３Ａ】同実施例のサンプルラックの通気溝を説明するためのサンプルホルダの下面周縁部に沿ったサンプルラックの載置台の断面図である。
【図３Ｂ】同通気溝を説明するためのサンプルホルダ及び載置台の断面図である。
【発明を実施するための形態】
【００１２】
以下、本発明に係るクロマトグラフ用サンプル温調装置の一実施例について、図面を参照しながら説明する。
【００１３】
図１に示されているように、この実施例のクロマトグラフ用サンプル温調装置１は、筐体２、サンプルラック４及び空気温調部６を備えている。筐体２は、前面（図において左側を向く側面）及び背面（図において右側を向く側面）を有する。サンプルラック４は、筐体２の前面に設けられたラック挿入口１０から筐体２の内部に挿入される。空気温調部６は、筐体２の背面部に設けられている。
【００１４】
筐体２の内部には、前面のラック挿入口１０から挿入されたサンプルラック４を内部に収容するための温調空間８が設けられている。筐体２の温調空間８は、空気温調部６が設けられている背面部を除いて、例えばポリエチレン樹脂発泡材などからなる断熱層１２によって覆われている。
【００１５】
サンプルラック４は先端及び基端を有するとともに、サンプルホルダ１００を載置するための載置台１４を有する。サンプルホルダ１００は、複数のサンプル容器１０２を保持するためのものである。この実施例では、載置台１４上に３つのサンプルホルダ１００を設置することができるようになっている。サンプルラック４は、温調空間８内に収容されている状態で、載置台１４の下面と温調空間８の床面との間に、サンプルラック４の先端から基端へ向かう方向へ空気を流すための通気路２０が形成されるように構成されている。具体的には、載置台１４の下面の側縁部に、載置台１４の下面と温調空間８の床面との間に通気路２０を形成するためのスペーサをなす凸条部３６（図２参照）が設けられている。
【００１６】
サンプルラック４の基端には、ユーザがサンプルラック４を温調空間８から引き出したり温調空間８へ挿し込んだりするための持ち手１６が設けられている。サンプルラック４の先端には、サンプルラック４から先端方向へ延び、空気温調部６の吹出し口２４から吹き出される空気の一部を通気路２０へ導くためのフード１８（第１フード）が設けられている。フード１８は、サンプルラック４が温調空間８に収容されている状態において、フード１８の先端と空気温調部６の吹出し口２４の上縁部との間に隙間が形成されるように設けられている。
【００１７】
空気温調部６は、ファン２２、吹出し口２４、吸気口２６、温調素子２８，３０、フード３２（第２フード）及び上昇ガイド３４を備えている。このほか、空気温調部６は、図示されていないが、温調素子２８及び３０によって温度調整される空気の温度を検出するための温度センサも備えている。
【００１８】
ファン２２は、筐体２の背面側から前面側へ向かって空気を送風するように設けられている。吹出し口２４は、温調空間８に収容されたサンプルラック４の先端と対向し、ファン２２によって送風される空気をサンプルラック４へ向かって吹き出すように設けられている。吸気口２６は、温調空間８内の上方の空気を吸気するように設けられている。ファン２２が稼働することにより、温調空間８内の空気が吸気口２６から吸気され、吹出し口２４からサンプルラック４へ向かって吹き出される。温調素子２８及び３０は、吸気口２６から吸気され、吹出し口２４から吹き出される空気流の経路上における吹出し口２４よりも上流の位置で空気を冷却又は加熱するように設けられている。温調素子２８及び３０は、例えばペルチェ素子によって実現される。フード３２は、吹出し口２４の上方に設けられており、吹出し口２４の上縁とフード１８との間の隙間を通過した空気をサンプルラック４の基端側へ導く。また、上昇ガイド３４は吹出し口２４の近傍に設けられており、サンプルラック４が温調空間８から引き出されている状態で、吹出し口２４から吹き出された空気を温調空間８の上部へ導く。
【００１９】
なお、空気温調部６を構成するファン２２、吹出し口２４、吸気口２６、温調素子２８，３０、フード３２及び上昇ガイド３４は一体的に設けられている必要はない。例えば、吸気口２６、温調素子２８，３０及び温度センサを一体的なユニットとし、ファン２２、吹出し口２４、フード３２及び上昇ガイド３４とは別に筐体２から取り外すことができるように構成することができる。温調素子２８，３０や温度センサは結露等によって故障する可能性があるが、それらをファン２２、吹出し口２４、フード３２及び上昇ガイド３４とは別に筐体２から取り外すことができることで、空気温調部６のメンテナンスの作業性が向上する。
【００２０】
空気温調部６の吹出し口２４からは、温調素子２８及び３０によって冷却又は加熱されて温度調整された空気が吹き出される。吹出し口２４から吹き出された空気のうちの一部はサンプルラック４のフード１８によって載置台１４の下の通気路２０へ導かれ、通気路２０を流れながら載置台１４上のサンプル容器１０２の下部を冷却又は加熱する。吹出し口２４から吹き出された空気のうちの残りの部分は吹出し口２４の上縁とフード１８との間の隙間を通過する。吹出し口２４の上縁とフード１８との間の隙間を通過した空気は、フード３２によってサンプルラック４の基端側へ流れながら、サンプルラック４に搭載されたサンプル容器１０２の上部を冷却又は加熱する。
【００２１】
上記のように、この実施例では、空気温調部６によって温度調整された空気をサンプルラック４の載置台１４の上下において流通させ、サンプルラック４に搭載されているサンプル容器１０２の上部と下部を同時に冷却又は加熱する。これにより、サンプル容器１０２内において上下方向に温度分布が発生することが抑制される。
【００２２】
この実施例では、吸気口２６から吹出し口２４へ向かう空気の流れ方向に沿って２つの温調素子２８及び３０が示されているが、本発明はこれに限定されるものではなく、１つの温調素子のみが設けられていてもよいし、３つ以上の温調素子が設けられていてもよい。
【００２３】
図２はサンプルラック４を下面側から見た斜視図である。
【００２４】
図２に示されているように、サンプルラック４の載置台１４の複数の箇所に開口３８が設けられている。開口３８は、通気路２０に流入した空気を載置台１４よりも上方へ通過させ、空気温調部６において冷却又は加熱された空気を載置台１４上のサンプルホルダ１００（又はサンプルホルダ１００に保持されたサンプル容器１０２）に直接的に接触させるためのものである。
【００２５】
載置台１４の先端側の開口率を大きくすると、通気路２０に流入した空気の大部分が載置台１４の先端側に設けられた開口３８を通過し、載置台１４の基端側に設けられた開口３８を通過する空気の量が少なくなる。また、通気路２０を流れる空気は、筐体２の床面及びサンプルラック４との間で熱交換を行なうため、サンプルラック４の基端側へ近づくにしたがって吹出し口２４から吹き出されたときの温度との差が大きくなる（サンプル容器１０２を温調する効果が小さくなる）。そのため、この実施例では、載置台１４における開口３８の面積割合（開口率）は、サンプルラック４の先端側よりも基端側を大きくして、通気路２０を流れる空気の流れ方向（載置台１４の長手方向）における温調効果の均一化を図っている。
【００２６】
また、載置台１４上に搭載されたサンプル容器１０２のうち通気路２０を流れる空気の流れ方向に垂直な水平方向において外側に配置されたサンプル容器１０２は、筐体２の外面に近接するため、筐体２の外部の温度の影響を受けやすい。そこで、この実施例では、通気路２０を流れる空気の流れ方向に垂直な水平方向における中央よりも外側の開口３８の面積割合を大きくして、サンプルラック４に搭載されたサンプル容器１０２の温度の面内の均一化を図っている。
【００２７】
また、この実施例では、サンプルラック４の載置台１４の下面の２箇所に折り畳み式のスタンド４０が設けられている。スタンド４０は、サンプルラック４を筐体２から引き出して水平な面上に置いたときに、載置台１４を下方から支持して載置台１４を略水平な状態に維持するためのものである。このようなスタンド４０が載置台１４の下面に設けられていると、通気路２０を流れる空気の一部がスタンド４０で遮られ、スタンド４０の後方（サンプルラック４の先端側から見てスタンド４０の背後）に設けられている開口３８に空気が供給されにくくなり、その開口３８の付近に搭載されたサンプル容器１０２の温調効率が低下する虞がある。そこで、この実施例では、載置台１４の下面に、スタンド４０の後方（特定の位置）に設けられた開口３８へ空気を導くための突起４２が設けられている。
【００２８】
この実施例では、サンプルラック４の載置台１４に設けられている開口３８の総面積は、吹出し口２４から通気路２０へ導かれる空気の流入面積と略同一となるように設計されている。吹出し口２４から通気路２０へ導かれる空気の流入面積とは、サンプルラック４のフード１８と上昇ガイド３４の先端との間に形成される隙間の面積である。このように、通気路２０への空気の流入面積と通気路２０からの空気の流出面積とが略同一であることにより、載置台１４に設けられた各開口３８に温度調整された空気を行き渡らせることができる。
【００２９】
さらに、図３Ａ及び図３Ｂに示されているように、サンプルラック４の載置台１４の上面に通気溝４４が設けられている。通気溝４４は、載置台１４上に載置されるサンプルホルダ１００の下面周縁部に沿って設けられている。通気溝４４は、開口３８を介して通気路２０からサンプルホルダ１００の内部に導入された空気にサンプルホルダ１００の下面周縁部の下方を通過させ、サンプルホルダ１００の外側へ流出させるためのものである。このような通気溝４４が設けられていることにより、サンプルホルダ１００の側面に通気口が設けられていない場合でも、サンプルホルダ１００の内外の空気の流通がスムーズに行われ、温度調整された空気が開口３８を介してスムーズにサンプルホルダ１００の内側へ導入される。
【００３０】
上記実施例のクロマトグラフ用サンプル温調装置１は、例えば液体クロマトグラフ用のオートサンプラによって実現される。クロマトグラフ用サンプル温調装置１がオートサンプラである場合、筐体２の温調空間８内には、サンプリング用のニードル、ニードルを水平面内方向と垂直方向へ移動させる移動機構、ニードルによりサンプル容器１０２から採取した試料を液体クロマトグラフィー分析のための分析流路に注入するための注入ポートなどが設けられる。
【００３１】
以上において説明した実施例は、本発明に係るクロマトグラフ用サンプル温調装置の実施形態の一例を示したに過ぎない。本発明に係るクロマトグラフ用サンプル温調装置の実施形態は以下に示すとおりである。
【００３２】
本発明に係るクロマトグラフ用サンプル温調装置の実施形態は、先端及び基端を有するとともに、サンプル容器を保持するサンプルホルダを載置するための載置台を有するサンプルラックと、前面及び背面を有するとともに、前記サンプルラックを収容して前記サンプルラックの前記載置台に載置されたサンプルホルダの温調を行なうための温調空間を内部に有し、前記サンプルラックを前記先端から前記温調空間へ挿入させるためのラック挿入口が前記前面に設けられている筐体と、前記温調空間に収容された前記サンプルラックの前記先端と対向するように設けられ、前記サンプルラックに向かって空気を吹き出すための吹出し口、前記吹出し口から空気が吹き出されるように空気流を形成するためのファン（２２）、及び前記ファン（２２）によって形成される空気流の経路における前記吹出し口の上流で空気を冷却又は加熱するための温調素子を備えた空気温調部と、を備え、前記サンプルラックは、前記サンプルラックが前記温調空間に収容されている状態で、前記載置台の下面と前記温調空間の床面との間に、前記サンプルラックの前記先端から前記基端へ向かって空気を流すための通気路が形成されるように構成され、前記空気温調部及び前記サンプルラックの先端には、前記サンプルラックが前記温調空間に収容されている状態で、前記空気温調部の前記吹出し口から吹き出される空気のうちの一部を前記通気路へ流入させ、前記吹出し口から吹き出される空気のうちの残りの部分を前記サンプルラックの前記載置台よりも上方で前記サンプルラックの前記先端から前記基端へ向かう方向に流すための構造が設けられている。
【００３３】
本発明に係るクロマトグラフ用サンプル温調装置の上記実施形態の第１態様では、前記サンプルラックの先端に、前記吹出し口から吹き出される空気の一部を前記通気路へ導くための第１フードが設けられており、前記空気温調部の前記吹出し口の上方には、前記吹出し口から吹き出された空気のうち前記通気路へ導かれなかった空気を前記サンプルラックの前記基端の方向へ導くための第２フードが設けられている。このような態様により、前記空気温調部において温度調整された空気を前記サンプルラックの前記載置台の上下において流すことができ、前記載置台に搭載されたサンプル容器に生じる上下方向の温度分布を緩和することができる。
【００３４】
上記第１態様の具体的な構成の一例では、前記第１フードは前記サンプルラックから先端方向へ延び、前記サンプルラックが前記温調空間に収容されている状態で、前記第１フードの先端と前記吹出し口の縁との間に隙間を形成するように設けられており、前記第２フードは、前記第１フードの先端と前記吹出し口の縁との間の隙間から流出した空気を前記サンプルラックの前記基端側へ導くように設けられている。
【００３５】
本発明に係るクロマトグラフ用サンプル温調装置の上記実施形態の第２態様では、前記サンプルラックの前記載置台の複数の箇所に、前記通気路に流入した空気を前記載置台よりも上方へ通過させるための開口が設けられている。このような態様により、前記通気路を流れる温度調整された空気が前記開口を介して前記サンプルホルダ又は前記サンプル容器に直接的に接触し、前記サンプル容器の温度調整を効率的に行なうことができる。
【００３６】
上記第２態様において、前記載置台における前記開口の面積割合は、前記サンプルラックの前記先端から前記基端へ向かうにつれて大きくなっていてもよい。そうすれば、前記通気路を流れる空気の流れ方向における前記サンプル容器の温調効果の均一化を図ることができる。
【００３７】
また、上記第２態様において、前記載置台における前記開口の面積割合は、前記通気路を流れる空気の流れ方向に垂直な水平方向における中央よりも外側のほうが大きくなっていてもよい。そうすれば、前記通気路を流れる空気の流れ方向に垂直な水平方向における前記サンプル容器の温調効果の均一化を図ることができる。
【００３８】
また、上記第２態様において、前記載置台に設けられている前記開口の総面積は、前記通気路への空気の流入面積と略同一であってもよい。そうすれば、前記通気路への空気の流入面積と前記通気路からの空気の流出面積とが略同一となり、前記載置台に設けられた各開口に温度調整された空気を行き渡らせることができる。
【００３９】
また、上記第２態様において、前記サンプルラックの前記載置台の下面に、前記通気路を流れる空気の一部を前記載置台の特定の位置に設けられている前記開口へ導くための突起を備えていてもよい。そうすれば、前記載置台の下方において空気の淀みが発生しやすい場所に前記開口が設けられている場合でも、そのような位置に設けられた前記開口へ空気を導くことができ、前記載置台上に搭載された前記サンプル容器の温度調整の均一化を図ることができる。
【００４０】
上記の場合の具体例として、前記サンプルラックが、前記載置台の下面に前記載置台を支持するためのスタンドを備えている例が挙げられる。このような場合、前記突起は、前記サンプルラックの前記先端側からみて前記スタンドの背後に位置する前記開口へ空気を導くように設けることができる。
【００４１】
本発明に係るクロマトグラフ用サンプル温調装置の上記実施形態の第３態様では、前記サンプルラックの前記載置台には、前記載置台に載置される前記サンプルホルダの下面周縁部に相当する位置に、前記サンプルホルダの前記下面周縁部の内外において空気を流通させるための通気溝が設けられている。このような態様により、前記サンプルホルダの側面に通気口が設けられていない場合でも、前記サンプルホルダの内外の空気の流通がスムーズに行われ、前記開口を介して温度調整された空気をスムーズに前記サンプルホルダの内側へ導入させることができる。
【００４２】
本発明に係るクロマトグラフ用サンプル温調装置の上記実施形態の第４態様では、前記空気温調部のうち、少なくとも前記温調素子は前記吹出し口及び前記ファンとは別のユニットとして前記筐体から取り外すことができるように構成されている。前記温調素子は結露等によって故障しやすいため、前記吹出し口及び前記ファンとは別に前記筐体から取り外すことができるようになっていることで、前記空気温調部のメンテナンスの際の作業性が向上する。
【００４３】
本発明に係るクロマトグラフ用サンプル温調装置の上記実施形態の第１態様から第４態様は、互いに自由に組み合わせることができる。
【符号の説明】
【００４４】
１      クロマトグラフ用サンプル温調装置
２      筐体
４      サンプルラック
６      空気温調部
８      温調空間
１０      ラック挿入口
１２      断熱層
１４      載置台
１６      持ち手
１８      フード（第１フード）
２０      通気路
２２      ファン
２４      吹出し口
２６      吸気口
２８，３０      温調素子
３２      フード（第２フード）
３４      上昇ガイド
３６      凸条部
３８      開口
４０      スタンド
４２      突起
４４      通気溝
１００      サンプルホルダ
１０２      サンプル容器
【図１】
2020193808.tif 000003
【図２】
2020193808.tif 000004
【図３Ａ】
2020193808.tif 000005
【図３Ｂ】
2020193808.tif 000006